(57)【要約】
【課題】　軽量で汎用性が高い正月等の祭事、慶事用室内装飾物を提供する。
【解決手段】　柄入り色紙（１）の上に、色紙の柄に合わせて作成した水引きよりなる造形物（２）を、柄入り色紙（１）に取り付けた金属線（３）で把持、固定し室内装飾物を構成する。これにより軽量で美麗且つ立体感のある各種用途にあった室内装飾物の提供が可能となった。
【選択図】　図１
0003099928.tif 000002
【実用新案登録請求の範囲】
【請求項１】
　台紙（１）上に水引を用いた造形物（２）を接合してなる室内装飾物。
【請求項２】
　台紙（１）が色紙であることを特徴とする請求項１記載の室内装飾物。
【請求項３】
　台紙（１）と水引を用いた造形物（２）の接合法が、金属線、細紐、両面テープおよびを接着剤からなるグループのいずれか１種を用いたことを特徴とする請求項１または請求項２いずれか記載の室内装飾物。
【請求項４】
　台紙（１）として柄付き色紙を用いることを特徴とする請求項１または請求項２いずれか記載の室内装飾物。
【考案の詳細な説明】
【技術分野】
【０００１】　本考案は正月等の祭事、慶事時に用いるとよい水引を用いた室内装飾物に係るものである。
【背景技術】
【０００２】　古来より我が国では正月を迎えるに当り、一年の健康と家運隆盛を願い玄関に注連飾りを飾る風習がある。注連飾りは通常、新しい稲のわらを使った注連縄に各地方の風習に従い、橙、裏白、伊勢海老、七福神等の各種縁起物を飾ったものである。しかしながら昨今生活スタイルが著しく変化し居住空間もマンションやアパート、さらには一戸建てであってもコンクリートやタイル等で構築された洋風建築が多くなり、表玄関に飾る従来スタイルの注連飾りは必ずしも適合し難くなりつつある。【０００３】　また、注連飾りは本物の橙や裏白や注連縄を使用する関係から裏白が枯れるとか橙が腐敗するなど商品寿命が短く、加えて立体的構成により見栄えのよいものを提供しようとする場合には、コストアップになるばかりか、かなりの重量になり、飾り物の取りつけ作業、さらには消費者の玄関への飾り付け作業が煩雑である等の問題点を有していた。
【考案の開示】
【考案が解決しようとする課題】
【０００４】　かかる事情下に鑑み、本考案者等は、正月等の祭事、慶事時に用いる装飾物として、立体的で見栄えがよく、長期の観賞に耐え、廉価で、かつ、最近の居住空間に適合した室内装飾物を提供することを目的として鋭意検討した結果、本考案を完成するに至った。
【考案が解決するための手段】
【０００５】　本考案の第１は、台紙（１）上に水引を用いた造形物（２）を接合してなる室内装飾物を提供するにある。
　本考案の第２は、台紙（１）が色紙であることを特徴とする請求項１記載の室内装飾物を提供するにある。
　本考案の第３は、台紙（１）と水引を用いた造形物（２）の接合法が、金属線、細紐、両面テープおよびを接着剤からなるグループのいずれか１種を用いたことを特徴とする請求項１または請求項２いずれか記載の室内装飾物を提供するにある。
　本考案の第４は、台紙（１）として柄付き色紙を用いることを特徴とする請求項１または請求項２いずれか記載の室内装飾物を提供するにある。
【考案の効果】
【０００６】　本考案の台紙上に水引を用いた造形物を接合してなる室内装飾物は、単品で水引を用い造形物を構成しこれを装飾物として用いる場合に比し、少量の水引き使用量であっても、単品と同等或いはそれ以上のボリューム感、豪華さを演出することが可能で、結果として、水引き使用量を減じることが出来るので廉価、且つ、軽量で、取り扱い易い室内装飾物を提供することが出来る。また柄入り色紙を台紙として用い、色紙の柄や記載語句に合わせて造形物を作成し、これを接合して室内装飾物を作成する場合には、台紙との柄や語句と相俟って従来品とは異なる味わいを醸成することが可能で、各種用途にあった軽量で美麗且つ立体感、ボリューム感がある新しい室内装飾物として、更には、最近の生活空間、居住空間に適合した室内装飾物としての効果をも有するものである。
【考案を実施するための最良の形態】
【０００７】　本考案の室内装飾物の一実施態様を図１に示す。図１は本考案にかかわる室内装飾物の概要図である。図中（１）は台紙、（２）は水引を用いた造形物、（３）は台紙（１）と水引を用いた造形物（２）を接合する細紐、（４）は水引きを用いていない他の造型物である。本考案に用いる台紙は、水引を用いた造形物を接合し、これを壁面等に立てかけた際、台紙の形状を維持し得る程度の強度を有する厚み、通常約０．５ｍｍ以上、好ましくは約１ｍｍ以上の厚みを有する台紙であればよく、その形状、大きさ等は特に制限されるものではないが、室内装飾物を壁面或いは飾り棚等に置き飾りをする場合、既存のパネルスタンドや色紙飾りが利用し易い点から、市販の色紙の適用が推奨される。色紙は通常サイズ（約２７ｃｍ×約２４ｃｍ）、寸松庵（約１４ｃｍ×約１２ｃｍ）のいずれでもよく、勿論通常サイズの２倍の倍判色紙やはがきサイズの色紙であってもよい。
　色紙は無地であってもよいが柄入り色紙を用いることもできる。金銀の砂子入り、更には慶事の模様や言葉が印刷された、或いは書き込まれた色紙の適用は、台紙上に接合する水引を用いた造形物と相俟って、より一層効果を発揮するのでその適用が推奨される。尚、本考案において柄入り色紙や色紙に言葉や文字が記載或いは印刷されたものを総称して柄付き色紙と称する場合がある。【０００８】　本考案に適用する水引を用いた造形物とは所謂、水引細工と称されるもので、古典的には鶴、亀、伊勢海老等の生物、松、竹、梅等の植物等がよく知られているが、水引で構成された造形物であれば特に制限されるものではなく、例えば人気キャラクター等を模したものであってもよい。また、水引で構成された造形物（２）は図１に示す如く水引で構成された造形物（２）と組み合わせ相乗効果を付与することのできる例えば熨斗等の他の造形物（４）と組み合わせて用いてもよい。【０００９】　これら水引を用いた造形物は、通常、台紙とは個別に作成し、後で両者を接合すればよい。接合方法は台紙と水引を用いた造形物とが通常の取り扱いにおいて脱落しない程度に接合し得る方法であれば特に制限されるものではなく、例えば、金属線、細紐、両面テープおよびを接着剤からなるグループのいずれか１種を用い接合すればよい。これらは接合する水引を用いた造形物の形状、大きさにもよるが、通常、大型にあっては金属線や細紐、小型、軽量にあっては両面接着テープや糊等の接着剤が適用される。
　具体的接合方法としては特に制限されるものではないが、金属線や細紐を用いる場合にあっては、例えば、造型物に水引等の細紐や針金等の金属線を外部からは目立たないように結び、造型物を結んだ細紐や金属線の両端部を台紙の接合所望箇所に設けた穴に通し台紙と伴に緊縛するか、予め台紙裏より表に向かい金属線をコの字状に貫通させ、台紙の表面に出た金属線で造形物を把持或いは緊縛する等の方法で固定すればよい。接合用の両面テープを用いる場合には先ず接合部のいずれか一方にテープを貼付しておき、接合を希望する他の一方に貼付する、両面テープを用いる通常公知の方法により実施すればよい。【００１０】　従来、水引だけで装飾品を構成する場合には、水引が線で構成されることよりボリューム感を出そうとすれば相当量の水引を必要とするが、本考案の如く、台紙と組み合わせ装飾物となすことにより、水引の使用量を減らしても水引単独使用の場合に比較し同等以上のボリューム感を付与することが可能となり、結果としてコストを低減し得るのみならず、台紙として柄入り色紙や、目的に合わせた字句を記載した色紙を用いる場合には水引き細工単独品とは異なる味わいを付与し得る効果が得られる。
　加えて水引き使用量を減少した場合には室内装飾物を軽量化し得るため、室内空間、例えば玄関壁面への押しピン等での簡単な飾りつけが可能となる効果をも有する。
　本考案の装飾物は上述の如く押しピン等で壁面に張り付けて利用しても良いが、市販のパネルスタンドを用いて玄関の下駄箱の上や飾り棚の上に置き飾りすることも、また市販のはめ込み式の色紙掛け等を利用し壁飾りとして利用することも可能であり、その室内装飾物としての利用価値は頗る大である。
【図面の簡単な説明】
【００１１】
【図１】本考案に係る水引きを用いた室内装飾物の概略図を示す。
【符号の説明】
【００１２】（１）台紙
（２）水引を用いた造形物
（３）水引よりなる細紐
（４）熨斗等の他の造形物
【図１】
0003099928.tif 000003